(57)【要約】【課題】台車のハンドルなどの円柱状の支持部材上にタブレット端末を安定的に支持するための装置を提供する。【解決手段】支持装置１は、支柱２、保持手段３、連結手段４を具備する。支柱２は、支柱本体５と、これに結合される上下連結部材６と、これに結合される把持体７とを具備する。把持体７は、円柱状支持部材Ｈの下部に嵌合する下部把持部材９と、これに分離可能に対向して円柱状支持部材Ｈの上部に嵌合する上部把持部材１０とを具備する。上下部把持部材９、１０間に円柱状支持部材Ｈを挟み、下部把持部材９の接続板部９ｃ間に上下連結部材６の下半部６ａを嵌合させ、両者をねじ１１で結合する。支柱本体５の上方から、ドライバを挿入し締め付けボルト６ｂを締め、上下部把持部材９，１０間に円柱状支持部材Ｈを強固に把持する。【選択図】図６
2019101878.tif 000002
【特許請求の範囲】
【請求項１】
円柱状支持部材に固定可能な支柱と、タブレット端末を背部から保持する保持手段と、前記支柱と前記保持手段とを連結する連結手段とを具備し、
前記支柱は、上部において前記連結手段に結合される支柱本体と、当該支柱本体の下部に固着される上下連結部材と、前記円柱状支持部材を上下に把持して支柱本体の下部に前記上下連結部材を介して分離可能に結合される把持体とを具備し、
前記把持体は、前記円柱状支持部材の下部に嵌合する下部把持部材と、当該下部把持部材に分離可能に対向して前記円柱状支持部材の上部に嵌合する上部把持部材とを具備し、
前記下部把持部材は、前記円柱状支持部材の下部に嵌合する断面Ｕ字状の嵌合溝を有する受け部と、当該受け部の嵌合溝の上縁に連続して互いに平行に立ち上がり上部において前記上下連結部材にねじ止めされる一対の接続板部とを具備し、
前記上部把持部材は、前記円柱状支持部材の上部に嵌合する断面Ｕ字状の嵌合溝を下部に有し、前記下部把持部材の一対の接続板部間に上下動自在に組み込まれ、
前記支柱本体は、前記連結手段に結合される上部のブラケット部と、下部の箱状部とを具備し、
前記上下連結部材は、前記箱状部の内側下部に固着され、上下方向に螺挿された締め付けボルトを具備し、
前記締め付けボルトは、下端が前記上部把持部材の上面に当接し、上端の頭部が前記支柱本体の上部から挿入されるドライバにより回転操作可能に前記箱状部の内側に配置され、
前記締め付けボルトの締め付けにより、前記上部把持部材を圧下して前記下部締め付け部材との間で前記円柱状支持部材を把持することを特徴とするタブレット端末の支持装置。
【発明の詳細な説明】
【技術分野】
【０００１】
本発明は、タブレット端末を他の機器等の円柱状の支持部材に支持するための装置に関する。
【背景技術】
【０００２】
従来、タブレット端末等の機器を他の機器等に支持するための携帯端末機器用スタンドとして、例えば特許文献１に記載されたものが知られている。このスタンドは、机の天板上等に固定可能な支柱と、タブレット端末を背部から保持する保持手段と、支柱と保持手段とを連結する連結手段とにより構成される。連結手段は、保持手段の背面に沿って延びる水平軸と、この水平軸に直交し、タブレット端末の中央を貫通する垂直軸に関して、保持手段をそれぞれ所定範囲で回転自在に連結する。保持手段は、タブレット端末の背部を保持した状態で、これを分離不能に固着するロック装置を備えている。ロック装置は、保持手段の背部に固着されたハウジングと、タブレット端末を分離不能に拘束するロック手段を備える。ロック手段は、ハウジングに挿脱自在の挿入部と、これをハウジングに挿入したときタブレット端末を分離不能に拘束するロック部を備える。ハウジングの内部には、専用の解錠装置により外部から解錠可能な施錠手段が設けられ、挿入部をハウジングに挿入したとき施錠手段により挿入部がハウジングから抜き出し不能に施錠される。
【先行技術文献】
【特許文献】
【０００３】
【特許文献１】特開２０１３−４２２５４号公報
【発明の概要】
【発明が解決しようとする課題】
【０００４】
例えば、工場内等において、所要部所に必要な部品を配送するために円柱状のハンドルを備えた台車が用いられる。部品の配送はコンピュータで管理されることが多く、配送担当者が、台車と共にタブレット端末を携行し、配達のたびに所要の入力作業を行う。配送作業の効率化を図るためには、台車上にタブレット端末を一体に支持して移動したいという要請がある。本発明は、台車のハンドルなどの円柱状の支持部材上にタブレット端末を安定的に支持するための装置を提供することを課題としている。
【課題を解決するための手段】
【０００５】
以下、添付図面の符号を参照して説明するが、本発明はこれに限定されるものではない。
上記課題を解決するための、本発明のタブレット端末Ｔの支持装置１は、円柱状支持部材Ｈに固定可能な支柱２と、タブレット端末Ｔを背部から保持する保持手段３と、支柱２と保持手段３とを連結する連結手段４とを具備する。支柱２は、上部において連結手段２に結合される支柱本体２と、当該支柱本体２の下部に固着される上下連結部材６と、円柱状支持部材Ｈを上下に把持して支柱本体５の下部に上下連結部材６を介して分離可能に結合される把持体７とを具備する。把持体７は、円柱状支持部材Ｈの下部に嵌合する下部把持部材９と、当該下部把持部材９に分離可能に対向して円柱状支持部材Ｈの上部に嵌合する上部把持部材１０とを具備する。下部把持部材９は、円柱状支持部材Ｈの下部に嵌合する断面Ｕ字状の嵌合溝９ａを有する受け部９ｂと、当該受け部９ｂの嵌合溝９ａの上縁に連続して互いに平行に立ち上がり上部において上下連結部材６にねじ止めされる一対の接続板部９ｃとを具備する。上部把持部材１０は、円柱状支持部材Ｈの上部に嵌合する断面Ｕ字状の嵌合溝１０ａを下部に有し、下部把持部材９の一対の接続板部９ｃ間に上下動自在に組み込まれる。支柱本体５は、連結手段４に結合される上部のブラケット部５ａと、下部の箱状部５ｂとを具備する。上下連結部材１０は、箱状部５ｂの内側下部に固着され、上下方向に螺挿された締め付けボルト６ｂを具備する。締め付けボルト６ｂは、下端が上部把持部材１０の上面に当接し、上端の頭部が支柱本体５の上部から挿入されるドライバにより回転操作可能に箱状部５ｂの内側に配置される。締め付けボルト６ｂの締め付けにより、上部把持部材１０を圧下して下部締め付け部材９との間で円柱状支持部材Ｈを把持し、タブレット端末Ｔを円柱状支持部材Ｈ上に支持する。
【発明の効果】
【０００６】
本発明のタブレット端末の支持装置は、タブレット端末を台車のハンドルのような円柱状の部材に容易かつ安定的に着脱できる。
【図面の簡単な説明】
【０００７】
【図１】本発明に係るタブレット端末の支持装置の斜視図である。
【図２】図１のタブレット端末の支持装置の一部の正面図である。
【図３】図１のタブレット端末の支持装置の一部の背面図である。
【図４】図１のタブレット端末の支持装置の一部の側面図である。
【図５】図１のタブレット端末の支持装置の一部の平面図である。
【図６】図２のVI−VI断面図である。
【図７】図４のVII−VII断面図である。
【図８】図１のタブレット端末の支持装置の装着過程を示す断面図である。
【発明を実施するための形態】
【０００８】
図面を参照して本発明の実施の形態を説明する。
図１に示すように、タブレット端末Ｔの支持装置１は、例えば搬送台車のパイプハンドルＨのような所望の円柱状支持部材に固定可能な支柱２と、タブレット端末Ｔを背部から保持する保持手段３と、支柱２と保持手段３とを連結する連結手段４とを具備する。
【０００９】
連結手段４は、少なくとも保持手段３の背面に沿って延びる水平軸Ａに関して、保持手段３を所定範囲で回転・固定自在に連結する。図示の実施例において連結手段４は、保持手段３の背面に対向してこれを支持する矩形板状の支持板部４ａと、それの背面側に固着されたヒンジ部４ｂとを具備する。保持手段３は、ヒンジ部４ｂにおいて、水平軸Ａに対して板ばねを介して所定の回転抵抗を持つように枢支される。
【００１０】
支柱２は、上部において連結手段４に結合される支柱本体５と、当該支柱本体５の下部に固着される上下連結部材６と、円柱状支持部材Ｈを上下に把持して支柱本体５の下部に結合される把持体７とを具備する。
【００１１】
支柱本体５は、連結手段４に結合される上部のブラケット部５ａと、下部の箱状部５ｂとを具備する。箱状部５ｂの上端部はドライバ挿入孔５ｄを有する蓋５ｃで閉じられる。
【００１２】
上下連結部材６は、図６ないし図８に示すように、概略四角柱状の部材で、箱状部５ｂの内側下部に嵌め込まれ、ねじ８で固着される。上下連結部材６は、下半部６ａが箱状部５ｂの下端から露出している。上下連結部材６は、箱状部５ｂの内側において上下方向のねじ孔を貫通するように螺挿された締め付けボルト６ｂを具備する。締め付けボルト６ｂは、支柱本体５の上部から挿入される図示しないドライバにより回転操作できるように、箱状部５ｂの内側に配置される。図示の実施例においては、ドライバが蓋５ｃの孔５ｄから挿入される。
【００１３】
把持体７は、円柱状支持部材Ｈを上下に把持する下部把持部材９と上部把持部材１０とを具備する。把持体７は、下部把持部材９と上部把持部材１０との間に円柱状支持部材Ｈを把持した後、下部把持体９の上縁部において支柱本体５の下端から露出した上下連結部材６の下半部６ａにねじ１１で固着される。
【００１４】
下部把持部材９は、円柱状支持部材Ｈの下部に嵌合する断面Ｕ字状の嵌合溝９ａを有する受け部９ｂと、当該受け部９ｂの嵌合溝９ａの上縁に連続して互いに平行に立ち上がる一対の接続板部９ｃとを具備する。接続板部９ｃの上部において、上下連結部材６の下半部６ａにねじ１１で分離可能に固着される。
【００１５】
上部把持部材１０は、円柱状支持部材Ｈの上部に嵌合する断面Ｕ字状の嵌合溝１０ａを下部に有し、円柱状支持部材Ｈの上部に嵌合させた状態で、下部把持部材９の一対の接続板部９ｃ間に上下動自在に組み込まれる。上部把持部材１０は、上面部に、締め付けボルト６ｂの先端部を受け入れる凹部１０ｂを有する。図６，図７に示すように、把持体７が支柱本体５に結合された状態において、締め付けボルト６ｂの下端が上部把持部材１０の凹部１０ｂの上面に当接し、締め付けボルト６の締め付けにより、上部把持部材１０が圧下され、下部締め付け部材９との間で円柱状支持部材Ｈが強固に把持される。
【００１６】
支持装置１を円柱状支持部材Ｈに固定する場合には、図８に示すように、把持体７を支柱本体５から取り外した状態で、下部把持部材９と上部把持部材１０との間に円柱状支持部材Ｈを挟む。次いで、下部把持部材９の接続板部９ｃ間に上下連結部材６の下半部６ａを嵌合させ、両者をねじ１１で結合する。その後、支柱本体５の上方から、孔５ａを介してドライバを挿入し締め付けボルト６を締めて、上下部把持部材９，１０間に円柱状支持部材Ｈを強固に把持する。固定すべき円柱状支持部材Ｈの直径が多少変化しても、締め付けボルト６の締め付けで広く対応できる。
【符号の説明】
【００１７】
１      タブレット端末の支持装置
２      支柱
３      保持手段
４      連結手段
５      支柱本体
５ａ    ブラケット部
５ｂ    箱状部
５ｃ    蓋
５ｄ    ドライバ挿入孔
６      上下連結部材
６ａ    下半部
６ｂ    締め付けボルト
７      把持体
８      ねじ
９      下部把持部材
９ａ    嵌合溝
９ｂ    受け部
９ｃ    接続板部
１０    上部把持部材
１０ａ  嵌合溝
１０ｂ  凹部
１１    ねじ
Ｈ      円柱状支持部材（ハンドル）
Ｔ    タブレット端末
【図１】
2019101878.tif 000003
【図２】
2019101878.tif 000004
【図３】
2019101878.tif 000005
【図４】
2019101878.tif 000006
【図５】
2019101878.tif 000007
【図６】
2019101878.tif 000008
【図７】
2019101878.tif 000009
【図８】
2019101878.tif 000010